(57)【要約】【課題】グローブの取り付け取り外し及びランプ交換を容易に行うことができるとともに、Ｖバネの取り扱いの安全性を向上させた照明器具のグローブ取付け構造を提供する【解決手段】天井部に取り付けられた照明器具本体１に対しグローブ２を着脱自在に取り付け可能とした照明器具のグローブ取付け構造において、照明器具本体１に係止された複数個のＶバネ３と、グローブ２に取り付けられＶバネ３の腕７の開きを狭めた状態でＶバネ３をスライド可能に挟持するガイド金具４とを具備し、Ｖバネ３の腕７の端部近傍に湾曲部１３を設け、グローブ２を取り外す際グローブ２を引き下げてガイド金具４に設けた溝１５をＶバネ３の湾曲部１３に係合させ、グローブ２をロックすることによってグローブ２のせり上がりを押えることを可能とした。【選択図】      図３
2005158361.tif 000002
【特許請求の範囲】
【請求項１】
天井部に取り付けられた照明器具本体に対しグローブを着脱自在に取り付け可能とした照明器具のグローブ取付け構造において、照明器具本体に係止された複数個のＶバネと、グローブに取り付けられＶバネの腕の開きを狭めた状態でＶバネをスライド可能に挟持するガイド金具とを具備し、前記Ｖバネの腕の端部近傍に湾曲部を設け、グローブを取り外す際グローブを引き下げて前記ガイド金具に設けられた溝をＶバネの前記湾曲部に係合させ、グローブをロックすることによってグローブのせり上がりを押えることを特徴とする照明器具のグローブ取付け構造。
【請求項２】
前記ガイド金具は、Ｖバネを挟持するための板材を切り起こして形成された平行２片からなる切り起し部を有し、２片の切り起し部の下端にはそれぞれＶバネの線径がちょうど通る幅の前記溝が切り込まれ、この溝の底部がＶバネの前記湾曲部と係合してグローブをロックするとともにＶバネの腕の動きを開閉方向のみに規制することを特徴とする請求項１記載の照明器具のグローブ取付け構造。
【請求項３】
前記Ｖバネは、腕の中間部でくの字状に曲げ成形されて撓みを有し、グローブを引き下げた際にグローブの自重によりグローブの引き下げ距離を伸ばすことを特徴とする請求項１記載の照明器具のグローブ取付け構造。
【請求項４】
前記Ｖバネは、腕の中間部において腕の先端部がさらにグローブの外側に向く方向に所定角度曲げ成形され、ランプ交換の際、一部のＶバネによって片持ち状態に吊り下げ支持されたグローブの開き角度をさらに広げることを特徴とする請求項１記載の照明器具のグローブ取付け構造。
【請求項５】
前記Ｖバネは、腕の先端部にそれぞれ指先の大きさ程度の輪を形成し、グローブを引き下げてロックした後この輪をつまんでＶバネをガイド金具から外すことを特徴とする請求項１記載の照明器具のグローブ取付け構造。
【請求項６】
前記Ｖバネをガイド金具から外す際、溝によって規制された方向につまみ部をつまんで外すことを特徴とする請求項５記載の照明器具のグローブ取付け構造。
【発明の詳細な説明】
【技術分野】
【０００１】
本発明は、例えば天井部に直付けされた照明器具本体に対してＶバネを用いてグローブを着脱自在に取り付け可能とした照明器具のグローブ取付け構造に関する。
【背景技術】
【０００２】
従来、ランプカバーとなるグローブを、複数個のＶバネを用いて天井部に直付けされた照明器具本体（以下、器具本体と略称する）に取り付ける構造の照明器具は、各種のものが提案されている。例えば、これらの照明器具においてランプ交換等を行う場合の方法として、グローブをＶバネで器具本体に支持した状態のまま一定距離引き下げた後、グローブの一側に取り付けられたＶバネを器具本体から外し、グローブの他側に取り付けられたＶバネをヒンジとして一側を開いた状態にし、グローブを器具本体から吊り下げた状態にしてランプ交換等を行うものがある。
【０００３】
また、別の方法として、Ｖバネはグローブの一側にのみ設け、他側は器具本体に設けた回動自在なフックにグローブの端部を着脱自在に係止する構造とし、ランプ交換等の際は他側のフックを外し、前述と同様、一側のＶバネをヒンジとして他側を開いた状態にし、グローブを器具本体から吊り下げた状態で交換作業を行うものなどがある（例えば、特許文献１参照。）。
【０００４】
このように、グローブの一側および他側にＶバネを用いている場合は、ランプ交換の際には一側のＶバネを外す必要があり、グローブ着脱の際には全てのＶバネを外す必要がある。また、Ｖバネを一側にのみ設けた場合でも、グローブ着脱の際にはこのＶバネを外さなければならない。いずれにしても従来の照明器具においては、Ｖバネの取り扱いの容易性が照明器具を使用する上での重要な要素となっている。
【０００５】
図８はＶバネの取り付け構造の一例を示す斜視図である。天井部に直付けされた器具本体１と、器具本体１を下側からカバーするグローブ２との間には、両者を連結する複数個のＶバネ３が設けられている。Ｖバネ３は線材を曲げ加工して形成され、コイル部８を中心にして八の字状に広がる２本の腕７を有し、腕７の両先端は小さく丸められるかあるいは単に折り曲げられた状態で抜け止め用の端部９を形成している。
【０００６】
そして、コイル部８は器具本体１に設けられた支持部６に係止され、また、２本の腕７は間隔が狭められてグローブ２に取り付けられたガイド金具４の一対の係止部５にそれぞれはめ込まれている。係止部５は単に板材を折り曲げて断面コの字型あるいはＵ字型の溝が形成されているだけなので、Ｖバネ３の腕７の動きは、開く方向にはある程度規制されるがそれ以外の方向はフリーに動き得る。
【０００７】
この状態でグローブ２を引き下げると、グローブ２はＶバネ３の端部９がストッパーとなってガイド金具４の係止部５に当接した位置で停止し、吊り下げられた状態となる。この時、Ｖバネ３は２本の腕７が係止部５によって狭められた状態となるため、腕７が外側に開こうとするバネ力はほぼ最大となっている。一方、グローブ２を押し上げたときには、ガイド金具４も上昇するため腕７の広がり角度が大きくなってバネ力は多少弱くなるが、グローブ２の重量を支持するための十分なバネ力が得られるようにＶバネ３は設計されている。
【０００８】
このようなグローブ取付け構造において、ランプ交換あるいはグローブ取り外しの際には、まずグローブ２を引き下げて器具本体１との間に隙間をつくり、ここから手を入れてＶバネ３を係止部５から外す操作を行う。この操作は、指で腕７を押えることによってさらに間隔を狭め、係止部５の溝からＶバネ３を抜き取る。これによりグローブ２はＶバネ３から離間し、器具本体１から取り外すことができる。
【０００９】
【特許文献１】特開平６−１５０７１１号公報
【発明の開示】
【発明が解決しようとする課題】
【００１０】
以下に、従来のＶバネ機構を用いた照明器具の問題点について説明する。上述したように、従来の照明器具においては、Ｖバネの反発力が強いのでグローブには常に元の位置に戻ろうとする力（せり上がろうとする力）が働いており、グローブを取り外す時に、グローブを一旦引き下げてもまた元の位置に戻ろうとする。そのため、グローブ取り外しの時にはＶバネの腕の部分を持って作業しなければならないため手を挟まれやすく、安全上危険を生じる構造であった。
【００１１】
また、グローブの戻りがあると器具本体とグローブとの間の開口角度が狭くなってしまい、容易にランプ交換もできないという問題点があった。さらに、グローブの取り付け、取り外しの際に、Ｖバネはフリーの方向に動き得る構造となっているためＶバネをつまみ損なうとＶバネが弾かれてランプに当り、割れる可能性があるという危険性があった。
【００１２】
本発明は、上記問題点を解決するためになされたもので、グローブの取り付け取り外し及びランプ交換を容易に行うことができるとともに、Ｖバネの取り扱いの安全性を向上させた照明器具のグローブ取付け構造を提供することを目的とする。
【課題を解決するための手段】
【００１３】
本発明は、天井部に取り付けられた照明器具本体に対しグローブを着脱自在に取り付け可能とした照明器具のグローブ取付け構造において、照明器具本体に係止された複数個のＶバネと、グローブに取り付けられＶバネの腕の開きを狭めた状態でＶバネをスライド可能に挟持するガイド金具とを具備し、前記Ｖバネの腕の端部近傍に湾曲部を設け、グローブを取り外す際グローブを引き下げて前記ガイド金具に設けられた溝をＶバネの前記湾曲部に係合させ、グローブをロックすることによってグローブのせり上がりを押える構造としている。
【００１４】
また本発明において、前記ガイド金具は、Ｖバネを挟持するための板材を切り起こして形成された平行２片からなる切り起し部を有し、２片の切り起し部の下端にはそれぞれＶバネの線径がちょうど通る幅の前記溝が切り込まれ、この溝の底部がＶバネの前記湾曲部と係合してグローブをロックするとともにＶバネの腕の動きを開閉方向のみに規制するようにしている。
【００１５】
また本発明において、前記Ｖバネは、腕の中間部でくの字状に曲げ成形されて撓みを有し、グローブを引き下げた際にグローブの自重によりグローブの引き下げ距離を伸ばすことを可能としている。また前記Ｖバネは、腕の中間部において腕の先端部がさらにグローブの外側に向く方向に所定角度曲げ成形され、ランプ交換の際、一部のＶバネによって片持ち状態に吊り下げ支持されたグローブの開き角度をさらに広げることを可能としている。また前記Ｖバネは、腕の先端部にそれぞれ指先の大きさ程度の輪を形成し、グローブを引き下げてロックした後この輪をつまんでＶバネをガイド金具から外すことを可能としている。さらに前記Ｖバネをガイド金具から外す際、溝によって規制された方向につまみ部をつまんで外すことを可能としている。
【発明の効果】
【００１６】
本発明における照明器具のグローブ取り付け構造は、Ｖバネ及びＶバネを挟持するガイド金具に改良を加えたことによって、以下のような効果が得られた。
【００１７】
まず、Ｖバネの腕の端部近傍に湾曲部を設け、グローブを引き下げたときにグローブ側のガイド金具に設けた溝にこの湾曲部がはまってロックできる構造としたことによって、グローブが戻ろうとする動きがなくなり、手を挟まれることがなくなったのでグローブの着脱及びランプ交換を安全かつ容易に行うことができる。
【００１８】
また、Ｖバネに曲げ部を設けたことによってＶバネの腕の長さを伸ばすことができるように余裕を持たせ、さらに別方向の曲げを追加したことによってグローブの開口角度をさらに広げられる構造としたので、グローブの着脱及びランプ交換を安全かつ容易に行うことができる。
【００１９】
また、Ｖバネの端部には指先の大きさ程度の輪を形成しつまみ部としたことによってＶバネの操作を容易にし、かつガイド金具に設けた溝によってＶバネのフリーな動きが規制されるので操作時にＶバネが弾け飛ぶことがなくなり、安全性の向上を図ることができる。
【発明を実施するための最良の形態】
【００２０】
次に、本発明の実施の形態について図面を参照して説明する。図１は本発明の一実施の形態を示す照明器具の概略構成図である。図１に示すように、照明器具は天井に直付けされた器具本体１と、器具本体１を下側からカバーするグローブ２がＶバネ３を介して着脱自在に装着されている。器具本体１には点灯装置１１およびランプ１０が取り付けられ、器具本体１の周縁部内側にはＶバネ３のコイル部８を係止する支持部６が取り付けられ、器具本体１の周縁部に嵌るグローブ２の周縁部内側には、Ｖバネ３の腕７をスライド可能に挟持するガイド金具４が取り付けられている。
【００２１】
このような構成を有する照明器具においては、Ｖバネの構造がグローブの着脱の容易性に大きな影響を及ぼす。そこで本発明ではＶバネの構造に改良を加え、目的を達成するようにしている。図２は本発明に係るＶバネの平面図（ａ）、及び側面図（ｂ）である。
【００２２】
図２のように、Ｖバネ３は線材をコイル状にした捻りバネ構造であって、コイル部８を中心にして２本の腕７が所定の角度に開いており、この角度は無負荷のときは９０度前後に開かれ、腕７がガイド金具４にはめ込まれるときは間隔が狭められて大きな反発力を発生する。この反発力によってＶバネ３は常に広がろうとし、その結果、グローブ２には押し上げられる方向に常にせり上がる力が働いている。
【００２３】
この腕７は直線状ではなく、図２（ａ）に示すように、コイル部８から先端に向かう中間部にまず「くの字」状の曲げ部１２が形成され、その先に半円状の湾曲部１３が形成され、先端部には指が係る程度の大きさを有するループ状のつまみ部１４が形成されている。さらに、図２（ｂ）に示すように、曲げ部１２付近から先端部に向かって別の角度θで曲げられている。この曲げは、器具本体１にＶバネ３を取り付けたときに、腕７の先端部がグローブ２の外側に向く方向に曲げ成形されている。
【００２４】
一方、グローブ２に取り付けられるガイド金具４は、図３の斜視図に示すように、Ｖバネ３を挟持するための板材を切り起こして形成された平行２片からなる切り起し部１６を有し、２片の切り起し部１６の下端にはそれぞれＶバネ３の線径がちょうど挿通できる幅の溝１５が切り込まれ、この溝１５の底部がＶバネ３の湾曲部１３と係合してグローブ２をロックするとともに、Ｖバネ３の腕７の動きを開閉方向のみに規制する役目を果たしている。
【００２５】
次に、上記のように構成されたＶバネの動作について説明する。まず、グローブを器具本体に取り付ける方法について説明する。図４に示すように、器具本体１に取り付けられている支持部６にＶバネ３のコイル部８を引っ掛けて抜け落ちないように係止する。このときＶバネ３の腕７は八の字状に開いたままであり、無負荷の状態にある。
【００２６】
次いで図５に示すように、器具本体１に対しグローブ２を持ち上げ、Ｖバネ３の腕７の間隔を狭めてグローブ２に取り付けられているガイド金具４の２片の切り起し部１６の間にはめ込み、それと同時に腕７は溝１５にはまり込む。そして、グローブ２を押し上げてグローブ２の取り付けが完了する。このときＶバネ３の湾曲部１３は溝１５から外れた位置にあってロックされていないため、Ｖバネ３の反発力によりグローブ２は常に引き上げられる方向にせり上がる力が作用している。
【００２７】
次に、グローブを取り外す方法及びランプを交換する方法について説明する。図６に示すように、まずグローブ２を引き下げる。引き下げると同時にガイド金具４の溝１５がＶバネ３の湾曲部１３に引っかかり、グローブ２はこの位置でロックされてこれ以上下がらなくなる。そして、ロックされたことによってグローブ２に働くせり上がり力が抑止されて戻りがなくなるため、安心してＶバネ３の取り外し操作を行うことができる。Ｖバネ３上の湾曲部１３を設ける位置は、最もグローブ２が取り外し易い位置、または最もランプ交換がし易い位置とし、この位置でガイド金具４の下降が止まるように設定する。
【００２８】
また、Ｖバネ３の腕７の先端部分に指先の大きさ程度の輪を作ってつまみ部１４としたことによって、グローブ２がロックされて取り外しの位置で止まったとき、つまみ部１４をつまむことによって容易かつ安全に外すことができるようにした。また、従来はガイド金具４に対するＶバネ３の動きは、フリーに動き得る構造であったが、ガイド金具４に溝１５を設けたことによってＶバネ３の動きが腕７の開閉方向のみに規制されてつまみ易くなり、つまみ損ないを減らすことができる。
【００２９】
また、グローブ２の取り外しを容易にするためにはＶバネ３の腕７の長さを少しでも長くする方が有利であり、そのため腕７に「くの字」状の曲げ部１２を設けて角度をつけ、撓みを持たせたことによって距離を稼ぐようにした。さらに、ランプ交換の際は、上記のようにＶバネ３のつまみ部１４の輪をつまんで外すときに手を滑らせてランプに当たる可能性があるため、これを避けるために、図７のようにグローブ２の開口角度を少しでも大きく取る方が有利であり、そのためＶバネ３の曲げ部１２においてロック位置からさらにグローブ２が開く方向に角度θの曲げを追加した。
【産業上の利用可能性】
【００３０】
本発明によれば、天井直付けの照明器具本体とグローブとを連結しているＶバネの構造に改良を加えたことによってＶバネの取り扱いが極めて容易となり、グローブの着脱あるいはランプの交換の際に操作者の安全性を確保することができる。
【図面の簡単な説明】
【００３１】
【図１】本発明に係る照明器具の概略構造を示す断面図である。
【図２】本発明に用いるＶバネの構造を示す図で、図（ａ）は平面図、図（ｂ）は側面図である。
【図３】本発明に用いるガイド金具とＶバネとの装着状態を説明する斜視図である。
【図４】本発明に用いるＶバネを器具本体に取り付けた状態を説明する正面図である。
【図５】本発明に係るグローブの取り付け状態を説明する正面図である。
【図６】本発明に係るグローブの取り外し状態を説明する正面図である。
【図７】本発明に係るグローブの開き状態を説明する断面図である。
【図８】従来のグローブ着脱状態を説明する斜視図である。
【符号の説明】
【００３２】
１    器具本体
２    グローブ
３    Ｖバネ
４    ガイド金具
５    係止部
６    支持部
７    腕
８    コイル部
９    端部
１０    ランプ
１１    点灯装置
１２    曲げ部
１３    湾曲部
１４    つまみ部
１５    溝
１６    切り起し部
【図１】
2005158361.tif 000003
【図２】
2005158361.tif 000004
【図３】
2005158361.tif 000005
【図４】
2005158361.tif 000006
【図５】
2005158361.tif 000007
【図６】
2005158361.tif 000008
【図７】
2005158361.tif 000009
【図８】
2005158361.tif 000010